(57)【要約】【課題】  シートの種類又はシート搬送方向の長さにかかわらず確実にシートの斜行を補正することのできる画像形成装置を提供する。【解決手段】  突き当て部材９０４と、シートＰを斜送して突き当て部材９０４に突き当てる斜送手段９０３ａ〜９０３ｃとを備えた斜行補正機構９０によりシートＰの斜行を補正する。そして、突き当てモードにおいて、突き当て部材９０４をシート搬送方向と直交する方向に移動可能とすると共に、突き当て位置制御部により、シートＰの種類又はシート搬送方向の長さに応じて、斜送手段９０３ａ〜９０３ｃによる斜送動作を行うことなく突き当て部材９０４を移動させ、シートＰに突き当てるようにする。【選択図】      図６
2006096473.tif 000002
【特許請求の範囲】
【請求項１】
画像形成部に搬送するシートの斜行を補正する斜行補正機構を有する画像形成装置において、
シートを搬送するシート搬送手段と、
前記シート搬送手段により搬送されるシートのシート搬送方向と直交する方向に移動可能な突き当て部材と、
シートを斜送して前記突き当て部材に突き当てる斜送手段と、
前記突き当て部材及び前記斜送手段の動作を制御する制御部と、
を備え、
前記制御部は、シートの斜行を補正する位置に移動させた前記突き当て部材に前記斜送手段によりシートを斜送して突き当てて斜行補正を行う斜送モードと、前記斜送手段による斜送動作を行うことなく前記突き当て部材を移動させてシートの側端に突き当てる突き当てモードの２つのモードを有し、斜行を補正するシートの種類又はシート搬送方向の長さに応じて前記２つのモードを選択的に行うことを特徴とする画像形成装置。
【請求項２】
前記制御部の前記突き当てモードでは、前記斜送手段によるシート斜送動作を停止させた状態で前記シート搬送手段によりシートを所定位置に搬送し、停止した状態のシートの側端に前記突き当て部材を移動させて斜行を補正することを特徴とする請求項１記載の画像形成装置。
【請求項３】
前記制御部の前記突き当てモードでは、前記突き当て部材を予めシートのサイズに応じて設定されているシート搬送基準よりも外側に離れた所定位置に移動させ、シートの側端がシート搬送方向と直交する方向において前記シート搬送基準よりも外側に位置するように前記シート搬送手段により搬送し、前記突き当て部材を前記所定位置からシート搬送基準に移動させてシートの斜行を補正することを特徴とする請求項１又は２記載の画像形成装置。
【請求項４】
前記シートを載置するシート載置部を備え、前記シート載置部は載置するシートの種類又はシート搬送方向の長さに応じてシート搬送方向と直交する方向のシートを載置する位置を突き当て部材側に変更することが可能であることを特徴とする請求項３記載の画像形成装置。
【請求項５】
前記制御部の前記突き当てモードでは、前記突き当て部材を予めシートのサイズに応じて設定されているシート搬送基準よりも外側に離れた所定位置に移動させ、前記突き当て部材を、前記所定のシート搬送基準を超えた位置まで移動させてシートの斜行を補正することを特徴とする請求項１又は２記載の画像形成装置。
【請求項６】
前記突き当て部材が前記シート搬送基準を超えた分のシートの搬送位置のずれを、前記画像形成部においてシートに形成する画像の位置をずらすことにより補正することを特徴とする請求項５記載の画像形成装置。
【請求項７】
前記シートのシート搬送方向の長さを検出する検出手段を備え、
前記制御部は前記検出手段からの情報に基づいて、前記斜送モードと突き当てモードのいずれかを選択することを特徴とする請求項１記載の画像形成装置。
【請求項８】
前記シートの種類、又はシート搬送方向の長さを入力する入力手段を備え、
前記制御部は前記入力手段からの情報に基づいて、前記斜送モードと突き当てモードのいずれかを選択することを特徴とする請求項１記載の画像形成装置。
【請求項９】
前記突き当てモード実行時に表示手段により表示を行うことを特徴とする請求項１記載の画像形成装置。
【請求項１０】
前記突き当て部材のシート搬送方向下流に、斜行が補正されたシートを搬送しながらシート搬送方向と直交する幅方向に移動して、シートの側端をシート搬送基準に一致させて搬送するシフト部材を備えることを特徴とする請求項１記載の画像形成装置。
【発明の詳細な説明】
【技術分野】
【０００１】
本発明は、画像形成装置に関し、特にシートの斜送を補正する機構を備えたものに関する。
【背景技術】
【０００２】
従来、複写機、レーザービームプリンタ等の画像形成装置において、画像形成位置や印字精度の向上のため、搬送中のシートの斜行を補正する斜送補正機能を備えたものがある。そして、このような斜送補正を高精度で行う方法として、画像形成部の直前で搬送方向に対してシートを斜めに搬送しつつ、搬送方向に対して平行なサイド基準版に突き当てて斜行を補正する斜行補正機構を設けることで、シートの搬送を停止することなく斜行を補正する方法が提案されている（特許文献１参照。）。
【０００３】
【特許文献１】特開平１１−１８９３５５号公報
【発明の開示】
【発明が解決しようとする課題】
【０００４】
しかし、このような従来の画像形成装置においては、斜送可能なシートのサイズが決められており、それ以上のサイズのシートを斜送させることができないため、例えば長尺紙などのシート搬送方向の長さが長いシートに対しては斜行補正を行うことができないという問題があった。
【０００５】
また、シートが第二原図のように、剛性（こし）がないシートの場合には、斜送してサイド基準板に突き当てた時にシート端部が浮いたり、折れ曲がったりして正しくサイド基準版に突き当てることができないため、斜行を確実に補正することができないという問題があった。
【０００６】
そこで、本発明は、このような現状に鑑みてなされたものであり、シートの種類、又はシート搬送方向の長さにかかわらず確実にシートの斜行を補正することのできる画像形成装置を提供することを目的とするものである。
【課題を解決するための手段】
【０００７】
本発明は、画像形成部に搬送するシートの斜行を補正する斜行補正機構を有する画像形成装置において、シートを搬送するシート搬送手段と、前記シート搬送手段により搬送されるシートのシート搬送方向と直交する方向に移動可能な突き当て部材と、シートを斜送して前記突き当て部材に突き当てる斜送手段と、前記突き当て部材及び前記斜送手段の動作を制御する制御部と、を備え、前記制御部は、シートの斜行を補正する位置に移動させた前記突き当て部材に前記斜送手段によりシートを斜送して突き当てて斜行補正を行う斜送モードと、前記斜送手段による斜送動作を行うことなく前記突き当て部材を移動させてシートの側端に突き当てる突き当てモードの２つのモードを有し、斜行を補正するシートの種類又はシート搬送方向の長さに応じて前記２つのモードを選択的に行うことを特徴とする。
【発明の効果】
【０００８】
本発明のように、シートの種類又はシート搬送方向の長さに応じ、斜送手段による斜送動作を行うことなく突き当て部材を移動させてシートに突き当てるようにするモードを備えたことにより、シートの種類又はシート搬送方向の長さにかかわらず確実にシートの斜行を補正することができる。
【発明を実施するための最良の形態】
【０００９】
以下、本発明を実施するための最良の形態について図面を用いて説明する。
【００１０】
図１は、本発明の実施の形態に係る画像形成装置の構成を示す図である。
【００１１】
図１において、１は画像形成装置、２は画像形成装置本体（以下、装置本体という）であり、この装置本体２は第1シャーシユニット２Ａ及び第２シャーシユニット２Ｂにより構成されている。３Ａは画像形成部であり、この画像形成部３Ａは、感光体ドラム３、感光ドラム上に形成された潜像にトナーを付着させることによって顕像化する現像装置４、画像情報を感光ドラム３上に露光して潜像を形成する露光部５等を備えている。
【００１２】
なお、６はトナーを現像装置４に補給するホッパー部、７は感光ドラム上に顕像化された後、転写ベルト７ａに転写されたトナー像をシート（記録媒体）に転写する転写部である。また、９はシートを載置するシート載置部である左右のデッキ９ａ，９ｂに収納されているシートを給送するシート給送部、１０は転写後のシートを第２シャーシユニット側へと搬送する第１搬送ベルトユニット、１１は第１シャーシユニット側でトナー像が転写され、未定着画像を載せたシートを第２シャーシユニット側へ搬送する第２搬送ベルトユニットである。
【００１３】
１２は第１シャーシユニット内で転写されたトナー画像をシート上に定着させる第１の定着部を構成する第１定着装置、１５は第１定着装置１２の下流に設けられ、グロスコントロールにより高画質化を達成するための第２の定着部を構成する第２定着装置である。
【００１４】
また、５００は画像形成を終了したシートを機外に排出する外排紙パス、１６は両面記録時に再給送するシートを誘導する再給紙搬送パスであり、５０３は第１定着装置１２を通過させたシートを直接再給紙搬送パス１６もしくは外排紙パス５００へ送るための第１のシート搬送経路である定着搬送パスである。さらに、５０２は第２定着装置１５が配置されると共に、定着搬送パス５０３から分岐した第２のシート搬送経路であるバイパス搬送パス、５０１は再給送するシートを反転する反転排紙パス、５０５は反転されたシートを転写ローラ７まで搬送する両面搬送パスである。
【００１５】
なお、８は不図示のファンを用いて第１シャーシ内部の排気を行う排気装置、１３は第２シャーシユニット内の主に第１及び第２定着装置１２，１５の排熱を行う排気ダクト、２１はキャスターである。
【００１６】
そして、このように構成された画像形成装置１において、画像形成動作が開始されると、デッキ９ａ，９ｂに収納されているシートは、まずシート給送部９により、転写部７に搬送され、感光ドラム上に顕像化された後、転写ベルト７ａに転写されたトナー像が転写される。
【００１７】
次に、このようにトナー像が転写されたシートは、第１搬送ベルトユニット１０及び第２搬送ベルトユニット１１により第１定着装置１２に搬送され、この第１定着装置１２により加熱・加圧されてトナー像が定着される。そして、このようにトナー像が定着されたシートは、片面モードの場合には、定着搬送パス５０３及び外排紙パス５００を経て装置本体外に排出される。
【００１８】
また、シートの両面に画像を形成する両面モードの場合には、シートは、定着搬送パス５０３を経て再給紙搬送パス１６に搬送され、この後、反転排紙パス５０１、両面搬送パス５０５を経て表裏が反転した状態で転写部に搬送され、転写部において裏面にトナー像が転写される。そして、このようにトナー像が転写されたシートは第１定着装置１２においてトナー像が定着され、この後、定着搬送パス５０３及び外排紙パス５００を経て装置本体外に排出される。
【００１９】
さらに、画像が形成されたシートを反転して排出する反転モードの場合は、シートは、定着搬送パス５０３を経て再給紙搬送パス１６に搬送され、この後、反転排紙パス５０１において表裏が反転されて装置本体外に排出される。
【００２０】
なお、片面モード及び両面モードにおいて、画像品位をあげるようにする場合は、第１定着装置１２においてトナー像が定着された後のシートを、バイパス搬送パス５０２に選択的に搬送し、このバイパス搬送パス５０２に設けられた第２定着装置１５により再度加熱・加圧するようにしている。
【００２１】
図２は、本実施の形態における画像形成装置１の制御ブロック図であり、図２において、２０１は装置本体２の基本制御を行うＣＰＵである。そして、このＣＰＵ２０１には、制御プログラムが書き込まれたＲＯＭ２０６、処理を行うためのＲＡＭ２０５、画像信号を処理する画像処理部１７０、処理された画像を蓄積する画像メモリ部１３０及び不図示の外部機器と信号を行うための通信ＩＦ２０７が接続されている。なお、ＲＡＭ２０５の一部の領域は電源ＯＦＦされてもデータが消去されないバックアップＲＡＭとなっている。
【００２２】
さらに、ＣＰＵ２０１には、入出力ポート２０４が、アドレスバス、データバスにより接続されている。ここで、この入出力ポート２０４にはモータ、クラッチ等の各種負荷装置や、シートの位置を検知するセンサや、シートの搬送方向の長さを検知するセンサ等の入力装置が接続されており、ＣＰＵ２０１は、ＲＯＭ２０６の制御プログラムの内容にしたがって、入出力ポート２０４を介して順次入出力の制御を行い、画像形成処理を実行するようになっている。
【００２３】
またさらに、このＣＰＵ２０１は、シートの斜行を補正する際、後述する斜行補正ユニット９０と、シフトローラ９０５を制御してシートの斜行を制御するようにしている。
【００２４】
図３は、画像メモリ部１０３の内部構成及び周辺装置を示すブロック図であり、画像メモリ部１０３は、ページメモリ４０１、メモリコントローラ４０２、圧縮／伸長部４０３、ハードディスク４０４から構成される。
【００２５】
そして、外部Ｉ／Ｆ処理部４及び画像処理部１７０から画像メモリ部１０３に送られてきた画像データは、メモリコントローラ４０２によりページメモリ４０１に書き込まれ、その後、画像処理部１７０を介して画像形成部３Ａに送られるか、あるいは、ハードディスク４０４に蓄積される。なお、ハードディスク４０４に画像データを蓄積する際には、画像データは、圧縮／伸長部４０３においてデータ圧縮され、圧縮データとしてハードディスク４０４に書き込まれる。
【００２６】
メモリコントローラ４０２はまた、ハードディスク４０４に格納されている画像データのページメモリ４０１への読み出しも行う。その際には、ハードディスク４０４から読み出した圧縮データを圧縮／伸長部４０３を介して伸長し、復元した画像データをページメモリ４０１に書き込む。
【００２７】
またメモリコントローラ４０２は、ページメモリ４０１へ送るＤＲＡＭリフレッシュ信号の発生を行う。また、外部Ｉ／Ｆ処理部４、画像処理部１７０、ハードディスク４０４からページメモリ４０１へのアクセスの調停を行う。更に、ＣＰＵ２０１の指示に従い、ページメモリ４０１への書き込みアドレス、ページメモリ４０１からの読み出しアドレス、読み出し方向などの決定制御を行う。
【００２８】
これらの処理により、ＣＰＵ２０１は、ページメモリ４０１において複数の原稿画像を並べてレイアウトを行ったうえで、画像処理部１７０を介して画像形成部３Ａに出力する機能や、画像の一部分のみ切り出して出力する機能や、画像回転を行う機能を制御することが可能となる。
【００２９】
また、例えばソートモードに関しては、ある原稿束に対して画像メモリ部１０３に記録された順で画像を読み出しプリントする制御を複数回繰り返して実行する。このような制御を行うことより、本実施の形態の画像形成装置１に不図示の少数のビンしか持たないフィニッシャが接続された場合においても、ビンが多数あるソータと同じ役割を果たすことができる。
【００３０】
また、ＣＰＵ２０１には操作部２０３が接続されている。なお、この操作部２０３は、図４に示すように、画像形成動作を開始するためのスタートキー６０２、画像形成動作を中断するためのストップキー６０３、置数設定等を行うテンキー６０４、リセットキー６１６、ユーザモードキー６１７などが配置されている。また、上部には画像形成装置１の動作状態やユーザーへの作業指示といった各種メッセージ、作業手順等が表示される液晶表示部６２０が配置されている。なお、この液晶表示部６２０の表面はタッチパネルにより構成されており、表面に触れることにより選択キーとして働くようになっている。
【００３１】
そして、ＣＰＵ２０１は、このような操作部２０３の液晶表示部６２０、テンキー６０４を制御する。これにより、ユーザーは液晶表示部６２０及びテンキー６０４を通して画像形成動作モードや、表示の切り替えをＣＰＵ２０１に指示し、ＣＰＵ２０１は液晶表示部６２０に対して装置本体２の動作状態や、テンキー６０４によって設定された動作モードの表示を行う。
【００３２】
例えば、コピー枚数、変倍、片面／両面モード、シート給紙段の選択、不図示のフィニッシャによるノンソート、ソート、ステイプルソート（綴じモード）などの後処理モード、その他の応用モードの設定などは、図５の（ａ）に示す液晶表示部６２０の表示に応じた操作部２０３からの入力操作により行われる。
【００３３】
また、ユーザーが個別設定を行うためのユーザモードの設定も、操作部２０３からの入力操作により行われる。例えば、ユーザーが使用するシートの種類を選択する際には、ユーザモードキー６１７を押下すると、図５の（ｂ）に示すようなメニュー選択画面が液晶表示部６２０に表示され、ソフトキーである「用紙種類の登録」を選択すると、給紙段毎に、例えば長尺紙などのシート搬送方向の長さが長いシート、或は第二原図のように、剛性（こし）がないシート等のシートの種類を設定することが可能となる。
【００３４】
ところで、図１に示す転写部７と、シート給送部９との間には、図６に示すような斜行補正機構である斜行補正ユニット９０と、シフトローラ９０５とが設けられている。
【００３５】
ここで、図６において、９０４は突き当て部材である突き当て板であり、この突き当て板９０４は、シートＰが通過する搬送面を、固定部材９０２ａと共に構成し、且つ幅方向に移動可能な移動部材９０２の一側端部に垂設されている。また、９０３ａ〜９０３ｃは突き当て板９０４と共にシートＰを斜送して突き当て板９０４に突き当てる斜送手段である斜送ローラであり、この斜送ローラ９０３ａ〜９０３ｃは、固定部材９０２ａの下方に配置された図６の（ｂ）に示す斜送コロ９０７に対して固定部材９０２ａに設けられた不図示の開口部において、離間可能に設けられている。なお、この斜送ローラ９０３ａ〜９０３ｃと突き当て板９０４とにより斜行補正ユニット９０が構成される。
【００３６】
９０１は斜送補正ユニット９０のシート搬送方向上流に設けられたシート搬送手段である搬送ローラであり、この搬送ローラ９０１も図６の（ｂ）に示すように搬送コロ９０１ａに対して接離可能となっている。
【００３７】
また、シフト部材であるシフトローラ９０５は、シートＰを挟持した後、シートＰを搬送しながら、矢印Ａ方向にシフト（移動）するようになっており、このようにシフトローラ９０５がシフトすることにより、シートＰは矢印Ａ方向に移動しながら、画像形成部３Ａの画像形成位置に搬送されるようになっている。
【００３８】
なお、このシフトローラ９０５にシートＰが達すると、斜送ローラ９０３ａ〜９０３ｃは上昇し、図６の（ｂ）に示すように、斜送コロ９０７から離間するようになっており、これよりシフトローラ９０５が移動する際、シートＰに、斜送ローラ９０３ａ〜９０３ｃの負荷が加わらないようにしている。
【００３９】
このように、シート給送部９により給送されたシートＰは斜行補正ユニット９０において斜行を補正され、さらにシフトローラ９０５により幅方向に搬送されてシートの搬送基準位置に移動しつつ、転写部７の画像形成位置まで搬送されるようになっている。
【００４０】
なお、シートの搬送基準は、シートＰのサイズによって異なり、本実施の形態では中央基準の装置で説明しているため、シートＰの搬送基準は搬送中心からシートの幅方向の長さの半分の寸法に対応する位置に設定される。そして、シートが搬送基準に沿って転写部７に搬送されることにより、画像がシートの適切な位置に転写される。
【００４１】
次に、斜送補正ユニット９０におけるシートＰの斜送補正の方法について説明する。なお、本実施の形態において、斜送補正の方法としては、長尺紙や第二原図などの特殊紙を除いた全てのシートに適用される斜送モード（通常モード）と、長尺紙や第二原図などの特殊紙の際に適用される突き当てモード（特殊紙モード）とを備えている。
【００４２】
ここで、制御部を構成するＣＰＵ２０１は、突き当てモードの場合、斜送ローラ９０３ａ〜９０３ｃによるシートの斜送は行わず、突き当て板９０４を停止した状態のシートに向けて移動させてシートに突き当てることにより、シートの斜行を補正するようにしている。
【００４３】
まず、斜送モードにおける斜送補正動作を図７及び図８を用いて説明する。
【００４４】
斜送モードの場合、ＣＰＵ２０１は、まず図７の（ａ）に示すように、可動ガイド９０２を通紙サイズに合わせて移動し、予め突き当て板９０４をシートの斜行を補正する位置に移動する。なお、この突き当て板９０４の移動位置は、シートの搬送基準の位置からシートの幅方向に、所定距離だけ外側に離れた所定位置、例えば１０ｍｍ手前の位置（図中１０ｍｍ左方向）である。
【００４５】
次に、シートＰが到達する前に搬送ローラ９０１と搬送コロ９０１ａ、斜送ローラ９０３ａ〜９０３ｃと斜送コロ９０７とを当接（加圧）状態にし、シートＰの到達に備える。
【００４６】
次に、図７の（ｂ）に示すように、搬送ローラ９０１にシートＰが到達し、この後、搬送ローラ９０１により搬送されたシートＰの先端が図７の（ｃ）に示すように、一番上流側の斜送ローラ９０３ａに突入すると、搬送ローラ９０１と搬送コロ９０１ａとの当接を解除する。これにより、シートＰは斜送ローラ９０３ａによって斜送される。この後、シートＰが斜送ローラ９０３ａ〜９０３ｃによってさらに斜送されると、シートＰは突き当て板９０４に突き当てられる。
【００４７】
ここで、斜送ローラ９０３ａ〜９０３ｃと斜送コロ９０７との当接圧は弱いため、突き当て板９０４にシートＰが突き当たると、図８の（ａ）に示すようにシートＰは突き当て板９０４に沿う方向に向きを変え、これにより斜行が補正される。
【００４８】
次に、このままシートが突き当て板９０４に沿って搬送され、図８の（ｂ）に示すようにシートＰの先端がシフトローラ９０５に挟持されると、図６の（ｂ）に示すように斜送ローラ９０３ａ〜９０３ｃと斜送コロ９０７との当接が解除され、これにより斜送が補正されたシートＰは、シフトローラ９０５のみによって搬送される。
【００４９】
次に、このようにシートを挟持した後、シフトローラ９０５は矢印Ａに示すシートの幅方向に１０ｍｍ奥の位置（図中１０ｍｍ右方向）にスライドし、これによりシートＰは矢印Ｂ方向に搬送されながら側端が搬送基準の位置に一致するように移動される。この後、シートは搬送基準に沿って搬送されて転写部７に搬送され、感光ドラム上に顕像化された後、転写ベルト７ａに転写されたトナー像が転写される。
【００５０】
なお、この後、図８の（ｃ）に示すようにシートＰの後端がシフトローラ９０５を抜けると、この後、シフトローラ９０５はシートの幅方向に１０ｍｍ手前の位置（図中１０ｍｍ左方向）にスライドし、図７の（ａ）に示す待機位置に戻る。以上が、斜送モードにおける斜送補正動作である。
【００５１】
次に、突き当てモードにおける斜送補正動作を図９及び図１０を用いて説明する。
【００５２】
突き当てモードの場合、ＣＰＵ２０１は、まず図９の（ａ）に示すように、可動ガイド９０４を通紙サイズに合わせて移動し、予め突き当て板９０４をシートの斜行を補正する位置に移動する。ここで、既述したように、この突き当てモードの場合は、停止した状態のシートに突き当て板９０４を突き当てることにより、シートの斜行を補正するため、この移動距離は斜送モードの場合よりも短くなっている。なお、本実施の形態において、この移動位置は、斜送モードの場合の位置よりも搬送基準側の、搬送基準の位置からシートの幅方向に５ｍｍ手前の位置（図中５ｍｍ左方向）である。
【００５３】
次に、シートＰが到達する前に図９の（ｂ）に示すように、搬送ローラ９０１と搬送コロ９０１ａとを当接（加圧）状態にする一方、斜送ローラ９０３ａ〜９０３ｃと斜送コロ９０７は離間状態としたままシートＰの到達に備える。
【００５４】
次に、搬送ローラ９０１にシートＰが到達し、シートＰが搬送ローラ９０１によって搬送され、図９の（ｃ）に示すように、シートＰの先端が所定位置である突き当て板９０４の側方の中程の位置まで突入すると、搬送ローラ９０１と搬送コロ９０１ａとの当接を解除して一旦シートＰの搬送を停止する。
【００５５】
そして、この後、可動ガイド９０２がシートの幅方向に５ｍｍ奥の位置（図中５ｍｍ右方向）にスライドし、これにより突き当て板９０４が停止状態のシートＰと当接する。このとき、搬送ローラ９０１と搬送コロ９０１ａ、斜送ローラ９０３ａ〜９０３ｃと斜送コロ９０７は、共に離間状態にあるので、突き当て板９０４がシートＰの側端に当接すると、シートＰは突き当て板９０４に沿う方向に向きを変え、これにより斜行が補正される。
【００５６】
次に、このようにシートＰの斜行を補正した後、再度、搬送ローラ９０１と搬送コロ９０１ａとを当接状態にしてシートＰの搬送を再開し、この後、図１０の（ａ）に示すように、シートＰの先端がシフトローラ９０５に挟持されると、搬送ローラ９０１と搬送コロ９０１ａとの当接を解除する。これにより、斜送が補正されたシートＰはシフトローラ９０５のみによって搬送される。
【００５７】
次に、このようにシートを挟持した後、シフトローラ９０５は矢印Ａに示すシートの幅方向に５ｍｍ奥の位置（図中５ｍｍ右方向）にスライドし、これによりシートＰは矢印Ｂ方向に搬送されながら、側端が搬送基準と一致する位置へ移動される。この後、シートは転写部７に搬送され、感光ドラム上に顕像化された後、転写ベルト７ａに転写されたトナー像が転写される。
【００５８】
なお、この後、さらにシートＰが搬送され、図１０の（ｃ）に示すように、シートＰの後端がシフトローラ９０５を抜けると、突き当て板９０４（可動ガイド９０２）及びシフトローラ９０５はシートの幅方向に５ｍｍ手前の位置（図中５ｍｍ左方向）にスライドして図９の（ａ）に示す待機位置に戻り、また、搬送ローラ９０１は搬送コロ９０１ａと当接して、次のシートに備える。
【００５９】
この間、斜送ローラ９０３ａ〜９０３ｃは斜送コロ９０７と離間状態のままである。このように、特殊紙の場合はシートを斜送せず、突き当て板９０２をシートに突き当てることによって斜送補正を行うため、シートの搬送方向のシート長や、紙種などの影響を受けることがなく、斜送の補正を行うことができる。以上が、突き当てモードにおける斜送補正方法である。
【００６０】
以上説明したように、この突き当てモードにおいて、シートの種類、又はシート搬送方向の長さに応じ、斜送ローラ９０３ａ〜９０３ｃによる斜送動作を行うことなく突き当て板９０２を移動させ、シートに突き当てるようにすることにより、シートの種類、又はシート搬送方向の長さにかかわらず確実にシートの斜行を補正することができる。
【００６１】
ところで、このような突き当てモードにおいて、長尺シートや剛性の弱いシートが搬送基準よりも離れた中央側に搬送される場合がある。この場合には、突き当て板９０４を移動させても突き当て板９０４を、シートに突き当てることはできない。
【００６２】
そこで、本実施の形態においては、突き当てモードにおいて、確実に突き当て板９０４をシートＰに突き当てることができるよう、例えば左右のデッキ９ａ，９ｂ（図１参照）にシートを載置する際、予めシートの載置位置を、斜行補正ユニット９０にシートが達したとき、シートの端部が搬送基準よりも突き当て板側に位置するよう設定しておく。
【００６３】
なお、この場合、シートの最大のバラツキ量よりも少し多めに基準位置よりもずらしてシートを載置しておく。このようにしておけば、シートの端部に突き当て板９０２を当接させることができ、シートの斜行を確実に補正することができる。
【００６４】
また、デッキ９ａ，９ｂにシートを載置する場合に限らず、不図示のマルチトレイ上にシートを載置する場合でも、予めシートの載置位置を、斜行補正ユニット９０にシートが達したとき、シートの端部が搬送基準よりも突き当て板側に位置するよう設定しておけば、シートの端部に突き当て板９０２を当接させることができ、シートの斜行を確実に補正することができる。さらに、カセットからの給紙でも専用のカセットで搬送基準位置が基準からずれているものを適用すれば、シートの端部に突き当て板９０２を当接させることができる。
【００６５】
また、突き当てモードにおいて、確実に突き当て板９０４をシートＰに突き当てるための他の手段としては、突き当て板９０２を搬送基準位置よりも、シートの搬送バラツキよりも大きめに移動させる。すなわち、突き当て板９０２をシートの搬送基準を超えてシートの中央側に移動させる。このようにすれば、シートの端部に突き当て板９０２が当接して斜行を補正することができる。なお、この場合、突き当て板９０２のシートとの当接位置が基準位置から大きめに移動された分基準位置からずれるが、シートへの書き込み位置をずらすことにより画像とシートの位置を合わせることができる。すなわち、シートＰの側端が基準位置からずれた分、露光部５による画像情報の感光ドラム３上への露光位置を主走査方向でずらすことにより適正なシートＰの位置に画像を形成することができる。
【００６６】
ところで、本実施の形態においては、このような斜送モード又は突き当てモードをシート長やシートの種類に応じて選択するようにしている。
【００６７】
次に、このような斜送補正のモードを選択する方法について説明する。
【００６８】
図１１は、シート長やシートの種類に応じて斜送補正のモードを決定する方法を示したフローチャートである。
【００６９】
まず、ＣＰＵ２０１は、シートの種類（紙種）が第二原図などの特定の紙種か否かを判断する（Ｓ１０１）。この紙種は、例えばユーザーによって入力手段である操作部２０３から各給紙段毎に設定されたものである。ここで、紙種が特定の紙種でなかった場合は（Ｓ１０１のＮ）、シート搬送方向長さであるシート長が所定の長さ以上か否かを判断する（Ｓ１０２）。
【００７０】
そして、シート長が所定長以上でなかった場合は（Ｓ１０２のＮ）、斜送補正モードは斜送モードに決定される（Ｓ１０３）。ここで、この所定長とは、斜送補正ユニット９０でシートＳを斜送することが不可能となる長さであり、本実施の形態においては、操作部２０３によってユーザーから長さ情報が入力される。なお、この他、シートの搬送方向長さを検出する不図示の検知手段からの情報、或はシート搬送時の搬送時間に基づいてＣＰＵ２０１に長さ情報を入力するようにしても良い。
【００７１】
一方、紙種が第二原図などの特定の紙種であった場合（Ｓ１０１のＹ）や、シート長が所定長以上であった場合は（Ｓ１０２のＹ）は、斜送補正モードは突き当てモードに決定される（Ｓ１０４）。そして、この結果に基づいて、図１２に示すように表示手段である操作部２０３の液晶表示部６２０に、斜送補正を突き当てモードで行うことのメッセージを表示する。
【００７２】
以上の処理を行うことで、シートが長尺紙である場合や、紙種が第二原図であった場合などは突き当てモードで斜送の補正を行うことが可能となる。また、以上のように制御することで、斜送補正ユニット９０においてシートを斜送させることができる場合だけでなく、長尺紙や、第二原図などの剛性（こし）が弱く斜送させることのできないシートの場合でも、斜送補正を行うことが可能となる。
【図面の簡単な説明】
【００７３】
【図１】本発明の実施の形態に係る画像形成装置の構成を示す図。
【図２】上記画像形成装置の制御ブロック図。
【図３】上記画像形成装置の画像メモリ部の内部構成及び周辺装置を示すブロック図。
【図４】上記画像形成装置の操作部の平面図。
【図５】上記操作部の表示内容を示す図。
【図６】上記画像形成装置の斜行補正ユニット及びシフトローラを説明する図。
【図７】上記斜行補正ユニットの斜送モードにおける斜行補正動作及びシフトローラのシフト動作を説明する第１の図。
【図８】上記斜行補正ユニットの斜送モードにおける斜行補正動作及びシフトローラのシフト動作を説明する第２の図。
【図９】上記斜行補正ユニットの突き当てモードにおける斜行補正動作及びシフトローラのシフト動作を説明する第１の図。
【図１０】上記斜行補正ユニットの突き当てモードにおける斜行補正動作及びシフトローラのシフト動作を説明する第２の図。
【図１１】上記斜行補正ユニットの斜行補正モード決定処理を示すフローチャート。
【図１２】上記突き当てモードが決定された際の上記操作部の液晶表示部の表示内容を示す図。
【符号の説明】
【００７４】
１            画像形成装置
３Ａ          画像形成部
７            転写部
７ｂ          ２次転写ローラ
９ａ，９ｂ    カセット
９            シート給送部
９０          斜行補正ユニット
２０１        ＣＰＵ
２０３        操作部
６２０        液晶表示部
９０１        搬送ローラ
９０３ａ〜９０３ｃ  斜送ローラ
９０５        シフトローラ
９０４        突き当て板
Ｐ            シート２０３
【図１】
2006096473.tif 000003
【図２】
2006096473.tif 000004
【図３】
2006096473.tif 000005
【図４】
2006096473.tif 000006
【図５】
2006096473.tif 000007
【図６】
2006096473.tif 000008
【図７】
2006096473.tif 000009
【図８】
2006096473.tif 000010
【図９】
2006096473.tif 000011
【図１０】
2006096473.tif 000012
【図１１】
2006096473.tif 000013
【図１２】
2006096473.tif 000014